(57)【要約】【課題】  異なる顔形輪郭の着用者に良好な着用効果を提供する水泳用ゴーグルの提供。【解決手段】  レンズと保護パッドがフレーム本体により緊迫方式で固定されて一体とされた水泳用ゴーグルであり、上フレームと下フレーム及びブリッジで構成されてスリットを具えたフレーム本体と、レンズを収容し、並びにフレーム本体に組み付けられる保護パッドと、該スリットを緊迫固定するのに用いられ、並びにヘッドバンドを通して位置決めするのに供され、相互に係合し一体とされる第１、２カバーとを具え、該上フレームの内側中央に切欠きが設けられてこれによりフレーム本体が内向きに湾曲する時の力を吸収する緩衝空間が提供され、フレーム本体に良好な内向き湾曲の撓み性が賦与されて、異なる顔形輪郭の着用者に良好な着用効果を提供する。【選択図】        図１
0003110802.tif 000002
【実用新案登録請求の範囲】
【請求項１】
レンズと保護パッドがフレーム本体により緊迫方式で一体に固定される水泳用ゴーグルであって、
フレーム本体であって、上フレームと、該上フレームの両端に接続されてクローズエリアを形成する下フレームを具え、該上フレームと下フレームの内側に収容溝が形成され、且つ外端の外側にスリットが設けられ、該フレーム本体が更に上フレームの中央に位置するブリッジを具え、該ブリッジが上フレームと下フレームに接続されて左右の二つのリムを形成し、並びに下フレームに凹部が形成され、上フレームの内側中央に切欠きが形成された、上記フレーム本体と、
保護パッドであって、レンズ収容部と接顔部を具え、該レンズ収容部が前記収容溝に収容される、上記保護パッドと、
該保護パッドのレンズ収容部内に組み付けられる二つのレンズと、
該上フレームと下フレームの外側に組付けられ、少なくとも相互に係合し一体とされ並びにヘッドバンドを通して位置決めする第１カバーと第２カバーを具えた緊迫装置と、
を具えたことを特徴とする、水泳用ゴーグル。
【請求項２】
請求項１記載の水泳用ゴーグルにおいて、上フレームの切欠きよりブリッジに向けて延伸されて軟材質により被覆される被覆溝を具えたことを特徴とする、水泳用ゴーグル。
【請求項３】
請求項２記載の水泳用ゴーグルにおいて、ブリッジに被覆溝と連通し並びにブリッジを貫通する穿孔が設けられて軟材質による被覆時に軟材質によりこの穿孔が充填されたことを特徴とする、水泳用ゴーグル。
【請求項４】
請求項３記載の水泳用ゴーグルにおいて、穿孔が商標文字或いは図形の形状に設置されたことを特徴とする、水泳用ゴーグル。
【請求項５】
請求項４記載の水泳用ゴーグルにおいて、凹部がある下フレームの正面と側端にブリッジと落差のある被覆面が形成されて軟材質により被覆され、これによりこの凹部の両側が柔軟とされたことを特徴とする、水泳用ゴーグル。
【請求項６】
請求項５記載の水泳用ゴーグルにおいて、軟材質による被覆時の保持強度を提供する被覆面に補強リブが設けらたことを特徴とする、水泳用ゴーグル。
【請求項７】
請求項１記載の水泳用ゴーグルにおいて、第１、２連接シートが更に設けられ、該第１、２連接シートは上フレームと下フレームの両側より一体に延伸され、それに連接体が設けられ、該連接体が穿孔とされたことを特徴とする、水泳用ゴーグル。
【請求項８】
請求項７記載の水泳用ゴーグルにおいて、第１カバーが底面と相対する両側面を具え、底面の一端に、第１、２連接シートの穿孔と組み合わされる接合体が設けられ、該接合体は円柱体とされ、別端に開口が形成され、且つ該開口にガイドロッドが設けられてその周囲にヘッドバンドが繞設され、第１カバーの両側面の底端に第１係止体が設けられ、それは凹溝とされたことを特徴とする、水泳用ゴーグル。
【請求項９】
請求項８記載の水泳用ゴーグルにおいて、第２カバーが底面と相対する両側面を具え、第２カバーの底面に第１係止体である凹溝に対応する第２係止体が設けられ、該第２係止体は凸体とされ、第１係止体と第２係止体の相互係合により第１カバー、第２カバーが一体に組み合わされることを特徴とする、水泳用ゴーグル。
【請求項１０】
請求項７記載の水泳用ゴーグルにおいて、第１、２連接シートの外側上端に係止溝が設けられ、第２カバーにこの係止溝に対応する係止柱が設けられたことを特徴とする、水泳用ゴーグル。
【請求項１１】
請求項１記載の水泳用ゴーグルにおいて、ヘッドバンドバックルを更に具え、該ヘッドバンドバックルは第１カバーの両側面の間に梃子式に組み付けられ、該ヘッドバンドバックルは固定支持ロッドと、固定支持ロッドの両側に設けられた逆止め板と押しボタンを具え、該押しボタンの一部が第２カバーに設けられた取り付け孔より露出し、
該逆止め板は、固定支持ロッドの一側より延伸されて第１カバーの開口の一側に位置し、
該押しボタンは、固定支持ロッドの別の一側より延伸され、第１カバーの円柱体の一側に近接し、該押しボタンが弾性ピンを具えて該弾性ピンが押しボタンに押圧後の回復力を提供することを特徴とする、水泳用ゴーグル。
【請求項１２】
請求項１記載の水泳用ゴーグルにおいて、第１、２連接シートがスリットを基準として上フレームと下フレームより一体に延伸され、且つスリットに近接する一側に相互に対応する位置決め凹溝と位置決め凸体が設けられたことを特徴とする、水泳用ゴーグル。
【請求項１３】
請求項１記載の水泳用ゴーグルにおいて、保護パッドの接顔部がレンズ収容部の内側より一体に延伸されたフルカバー式とされ、且つ外側近くに強化リブが設けられたことを特徴とする、水泳用ゴーグル。
【請求項１４】
請求項１記載の水泳用ゴーグルにおいて、上フレームの外側に、その内側の切欠きに対応する注入孔が設けられ、且つ該注入孔の両側に下凹平面が設けられ、該下凹平面の両側に接合溝が設けられ、軟材質が該注入孔、下凹平面を被覆して接合溝に保持されることを特徴とする、水泳用ゴーグル。
【考案の詳細な説明】
【技術分野】
【０００１】
本考案は一種の水泳用ゴーグルの構造に係り、特に、レンズと保護パッドがフレーム本体により緊迫方式で一体に固定された水泳用ゴーグルの構造であって、該水泳用ゴーグルの撓み性が良好で着用してフィットし、快適であり、進水の恐れがない水泳用ゴーグルの構造に関する。
【背景技術】
【０００２】
本考案と関係のある水泳用ゴーグルはレンズと保護パッドがフレーム本体により緊迫方式で一体に固定された水泳用ゴーグル９であり、その構造は図７に示されるようであり、それは、レンズ９１と保護パッド９２がフレーム本体９０の両側に設けられた切欠き９０１により組み合わされ、更にヘッドバンド接続部品９３でフレーム本体９０の両側辺がそれぞれ圧迫され、レンズ９１と保護パッド９２が固定される。
【０００３】
上述の周知の水泳用ゴーグル９のフレーム本体９０とレンズ９１、保護パッド９２の組合せの後、全体のフレーム本体９０の内向き湾曲の撓み性は比較的低く、その原因は、フレーム本体９０の上端９０２が固定された形態とされることにある。ゆえに顔形輪郭が小さい使用者が着用する時に顔に適切にフィットせず、このため進水の恐れがあるのみならず、着用時の快適性が大幅に損なわれる。さらに、周知のフレーム本体９０は硬質とされ、着用時にブリッジ９４下方のフレーム本体９０の両側９４１と着用者の顔部が接触する時、着用者の着用感が悪くなる。
【考案の開示】
【考案が解決しようとする課題】
【０００４】
本考案の主要な目的は、着用感が良好で、進水の恐れの無い水泳用ゴーグルを提供することにあり、この水泳用ゴーグルはフレーム本体の上端が内向き湾曲の撓み性を具えることで、異なる顔形輪郭の着用者に適合し良好な着用効果を有する。また、ブリッジ下端が軟質とされ、顔部との接触が快適であるものとする。
【０００５】
上述の目的を達成するため、本考案の水泳用ゴーグルは、フレーム本体の上フレームの内側中央に切欠きが設けられ、これによりフレーム本体の内向き湾曲時の力を吸収する緩衝空間が提供されて、フレーム本体に良好な内向き湾曲の撓み性が賦与される。
【課題を解決するための手段】
【０００６】
請求項１の考案は、レンズと保護パッドがフレーム本体により緊迫方式で一体に固定される水泳用ゴーグルであって、
フレーム本体であって、上フレームと、該上フレームの両端に接続されてクローズエリアを形成する下フレームを具え、該上フレームと下フレームの内側に収容溝が形成され、且つ外端の外側にスリットが設けられ、該フレーム本体が更に上フレームの中央に位置するブリッジを具え、該ブリッジが上フレームと下フレームに接続されて左右の二つのリムを形成し、並びに下フレームに凹部が形成され、上フレームの内側中央に切欠きが形成された、上記フレーム本体と、
保護パッドであって、レンズ収容部と接顔部を具え、該レンズ収容部が前記収容溝に収容される、上記保護パッドと、
該保護パッドのレンズ収容部内に組み付けられる二つのレンズと、
該上フレームと下フレームの外側に組付けられ、少なくとも相互に係合し一体とされ並びにヘッドバンドを通して位置決めする第１カバーと第２カバーを具えた緊迫装置と、
を具えたことを特徴とする、水泳用ゴーグルとしている。
請求項２の考案は、請求項１記載の水泳用ゴーグルにおいて、上フレームの切欠きよりブリッジに向けて延伸されて軟材質により被覆される被覆溝を具えたことを特徴とする、水泳用ゴーグルとしている。
請求項３の考案は、請求項２記載の水泳用ゴーグルにおいて、ブリッジに被覆溝と連通し並びにブリッジを貫通する穿孔が設けられて軟材質による被覆時に軟材質によりこの穿孔が充填されたことを特徴とする、水泳用ゴーグルとしている。
請求項４の考案は、請求項３記載の水泳用ゴーグルにおいて、穿孔が商標文字或いは図形の形状に設置されたことを特徴とする、水泳用ゴーグルとしている。
請求項５の考案は、請求項４記載の水泳用ゴーグルにおいて、凹部がある下フレームの正面と側端にブリッジと落差のある被覆面が形成されて軟材質により被覆され、これによりこの凹部の両側が柔軟とされたことを特徴とする、水泳用ゴーグルとしている。
請求項６の考案は、請求項５記載の水泳用ゴーグルにおいて、軟材質による被覆時の保持強度を提供する被覆面に補強リブが設けらたことを特徴とする、水泳用ゴーグルとしている。
請求項７の考案は、請求項１記載の水泳用ゴーグルにおいて、第１、２連接シートが更に設けられ、該第１、２連接シートは上フレームと下フレームの両側より一体に延伸され、それに連接体が設けられ、該連接体が穿孔とされたことを特徴とする、水泳用ゴーグルとしている。
請求項８の考案は、請求項７記載の水泳用ゴーグルにおいて、第１カバーが底面と相対する両側面を具え、底面の一端に、第１、２連接シートの穿孔と組み合わされる接合体が設けられ、該接合体は円柱体とされ、別端に開口が形成され、且つ該開口にガイドロッドが設けられてその周囲にヘッドバンドが繞設され、第１カバーの両側面の底端に第１係止体が設けられ、それは凹溝とされたことを特徴とする、水泳用ゴーグルとしている。
請求項９の考案は、請求項８記載の水泳用ゴーグルにおいて、第２カバーが底面と相対する両側面を具え、第２カバーの底面に第１係止体である凹溝に対応する第２係止体が設けられ、該第２係止体は凸体とされ、第１係止体と第２係止体の相互係合により第１カバー、第２カバーが一体に組み合わされることを特徴とする、水泳用ゴーグルとしている。
請求項１０の考案は、請求項７記載の水泳用ゴーグルにおいて、第１、２連接シートの外側上端に係止溝が設けられ、第２カバーにこの係止溝に対応する係止柱が設けられたことを特徴とする、水泳用ゴーグルとしている。
請求項１１の考案は、請求項１記載の水泳用ゴーグルにおいて、ヘッドバンドバックルを更に具え、該ヘッドバンドバックルは第１カバーの両側面の間に梃子式に組み付けられ、該ヘッドバンドバックルは固定支持ロッドと、固定支持ロッドの両側に設けられた逆止め板と押しボタンを具え、該押しボタンの一部が第２カバーに設けられた取り付け孔より露出し、
該逆止め板は、固定支持ロッドの一側より延伸されて第１カバーの開口の一側に位置し、
該押しボタンは、固定支持ロッドの別の一側より延伸され、第１カバーの円柱体の一側に近接し、該押しボタンが弾性ピンを具えて該弾性ピンが押しボタンに押圧後の回復力を提供することを特徴とする、水泳用ゴーグルとしている。
請求項１２の考案は、請求項１記載の水泳用ゴーグルにおいて、第１、２連接シートがスリットを基準として上フレームと下フレームより一体に延伸され、且つスリットに近接する一側に相互に対応する位置決め凹溝と位置決め凸体が設けられたことを特徴とする、水泳用ゴーグルとしている。
請求項１３の考案は、請求項１記載の水泳用ゴーグルにおいて、保護パッドの接顔部がレンズ収容部の内側より一体に延伸されたフルカバー式とされ、且つ外側近くに強化リブが設けられたことを特徴とする、水泳用ゴーグルとしている。
請求項１４の考案は、請求項１記載の水泳用ゴーグルにおいて、上フレームの外側に、その内側の切欠きに対応する注入孔が設けられ、且つ該注入孔の両側に下凹平面が設けられ、該下凹平面の両側に接合溝が設けられ、軟材質が該注入孔、下凹平面を被覆して接合溝に保持されることを特徴とする、水泳用ゴーグルとしている。
【考案の効果】
【０００７】
本考案は、着用感が良好で、進水の恐れの無い水泳用ゴーグルを提供し、この水泳用ゴーグルはフレーム本体の上端が内向き湾曲の撓み性を具えることで、異なる顔形輪郭の着用者に適合し良好な着用効果を有する。また、ブリッジ下端が軟質とされ、顔部との接触が快適である。
【考案を実施するための最良の形態】
【０００８】
図１及び図２に示されるように、本考案の水泳用ゴーグル１は、フレーム本体２、保護パッド３、二つのレンズ４、及び緊迫装置５を具えている。そのうち、フレーム本体２は、上フレーム２０、下フレーム２１及びブリッジ２２を具えている。該上フレーム２０の両端と下フレーム２１が接続されてクローズエリアを形成し、且つ上フレーム２０、下フレーム２１の内側に収容溝２３が設けられて保護パッド３を収容する。該ブリッジ２２は上フレーム２０の中央に位置し、上フレーム２０と下フレーム２１を連接して左右の二つのリムを形成し、並びに下フレーム２１は着用者の鼻梁上に跨設される凹部２４を具えている。また、上フレーム２０の内側中央に切欠き２５が設けられ（図２）、外側に該切欠き２５に連通する注入孔２６が設けられている。且つ該注入孔２６の両側に僅かに下に凹んだ下凹平面２６１が形成され、この下凹平面２６１の両側に比較的深い接合溝２６２が設置され、軟材質６が注入孔２６、下凹平面２６１を被覆し、並びに接合溝２６２を保持する。同様に、該凹部２４のある下フレーム２１の正面と側端にブリッジ２２と落差のある被覆面２７が形成され、同様に軟材質６で被覆されて、該凹部２４の両側が比較的柔軟とされる。また、該被覆面２７に補強リブ２７１が設けられ、軟材質による被覆時の保持強度を提供する。このほか、図５に示されるように、上フレーム２０の切欠き２５よりブリッジ２２に向けて被覆溝２８が延伸され、且つブリッジ２２に該被覆溝２８を貫通する穿孔２９が設けられ、該穿孔２９は商標の文字或いは図形の形状に設置可能であり、被覆溝２８と穿孔２９は同様に軟材質６により被覆される。こうして、軟材質６の注入成形時に、注入孔２６、下凹平面２６１、接合溝２６２、切欠き２５及び被覆溝２８、及び穿孔２９が上フレーム２０、下フレーム２１においていずれも一体に被覆される。
【０００９】
さらに、図１に示されるように、上フレーム２０、下フレーム２１の間にスリット７０が設けられて保護パッド３とレンズ４の組合せに供される。且つ上フレーム２０、下フレーム２１の両側に該スリット７０を基準としてそれぞれ上フレーム２０、下フレーム２１より一体に延伸された第１、２連接シート８０、８１が設けられ、それに緊迫装置５と組み合わされる連接体が設けられ、該連接体は穿孔８０１、８１１とされている。また、スリット７０近くの一側に位置決め凹溝７１と位置決め凸体７２が設けられて、第１、２連接シート８０、８１組み付け時の位置合わせに供される。また、第１、２連接シート８０、８１の外側上端に係止溝７３が設けられて緊迫装置５の部品と係合する（後で説明する）。
【００１０】
該保護パッド３は、レンズ収容部３０と接顔部３１を具え、そのうちレンズ収容部３０はレンズ４を収容し、並びに収容溝２３内に組み付けられる。接顔部３１はレンズ収容部３０の内側より一体に延伸されてフルカバー式とされ、且つ外側近くに強化リブ３１０が設けられている。
【００１１】
該緊迫装置５は、相互に係合し一体とされる第１カバー５０と第２カバー５２を具え、そのうち、第１カバー５０は底面５０１と相対する両側面５０２、５０３を具え、底面５０１の一端に、第１、２連接シート８０、８１の穿孔８０１、８１１と組み合わされる接合体が設けられ、該接合体は円柱体５０４とされる。別端には開口５０５が形成され、且つ該開口５０５にガイドロッド５０６が設けられてその周囲にヘッドバンドが繞設される。また、両側面５０２、５０３の底端に第１係止体が設けられ、それは凹溝５０７とされる。
【００１２】
該第２カバー５２も、底面５１１と相対する両側面５１２、５１３を具え、そのうち、底面５１１に凹溝５０７に対応して第２係止体が設けられ、該第２係止体は凸体５１４とされて、相互に係合後に第１カバー５０、第２カバー５２が一体に組み合わされる。また、その前端に係止柱５１５が設けられて第１、２連接シート８０、８１の係止溝７３と係合され位置決めされる。
【００１３】
該ヘッドバンドバックル５２は固定支持ロッド５２１を具え、該固定支持ロッド５２１は梃子式に第１カバー５０の両側面５０２、５０３の軸孔５０８に組み付けられる。及び、該固定支持ロッド５２１の両側に逆止め板５２２と押しボタン５２３が設けられ、該逆止め板５２２は固定支持ロッド５２１の一側より延伸されて第１カバー５０の開口５０５の一側に位置してヘッドバンド（図示せず）を単方向にのみ引き動かすことができるようにする。該押しボタン５２３は固定支持ロッド５２１の別の一側より延伸され、第１カバー５０の円柱体５０４の一側に近接し、組合せ後には一部が第２カバー５２に設けられた取り付け孔５１６より露出し、それに弾性ピン５２４が設けられて押しボタン５２３に押圧された後の回復力を提供し、即ち、押しボタン５２３が常態で弾性ピン５２４で上向きに支持され、この時、別端の逆止め板５２２は下向きにヘッドバンドの位置決め溝（図示せず）を係止し、一旦押しボタン５２３が下に押されると、逆止め板５２２が上向きに移動してヘッドバンドが双方向に移動可能となり、押しボタン５２３に対する押圧を解除すると、弾性ピン５２４が押しボタン５２３を上向きに支持された状態に回復させる。
【００１４】
図１と図３、６を併せて参照されたい。本考案のフレーム本体２を成形する時は、硬材質で成形後に、軟材質６を射出して下フレーム２１の凹部２４の正面と側端を被覆し、及び上フレーム２０の正面中央及び内側の切欠き２５を被覆する。こうして、フレーム本体２の上フレーム２０が良好な内向き湾曲の撓み性を具え、異なる顔形輪郭の着用者に適合し良好な着用効果を具備するものとなり、特に顔形輪郭が比較的小さい使用者が着用する時に適切に顔部にフィットし、これにより進水の恐れがない。
【００１５】
総合すると、本考案の水泳用ゴーグルは確実に本考案の目的を達成し、実用新案登録の要件を具備する。なお、以上の説明及び図面の記載は本考案の実施範囲を限定するものではなく、以上の説明及び図面の記載に基づきなしうる細部の修飾或いは改変は、いずれも本考案の請求範囲に属するものとする。
【図面の簡単な説明】
【００１６】
【図１】本考案の立体分解図である。
【図２】本考案の別角度から観た立体分解図である。
【図３】図１の立体組合せ図である。
【図４】図３の正面図である。
【図５】図４の４−４断面図である。
【図６】図３の平面図である。
【図７】周知の水泳用ゴーグルの立体図である。
【符号の説明】
【００１７】
１  水泳用ゴーグル          ２  フレーム本体
３  保護パッド              ４  レンズ
５  緊迫装置                ６  軟材質
２０  上フレーム            ２１  下フレーム
２２  ブリッジ              ２３  収容溝
２４  凹部                  ２５  切欠き
２６  注入孔                ２７  被覆面
２８  被覆溝                ２９  穿孔
２６１  下凹平面            ２６２  接合溝
２７１  補強リブ
３０  レンズ収容部          ３１  接顔部
３１０  強化リブ
５０  第１カバー            ５１  第２カバー
５２  ヘッドバンドバックル  ５０１  底面
５０２、５０３  側面        ５０４  円柱体
５０５  開口                ５０６  ガイドロッド
５０７  凹溝                ５１１  底面
５１２、５１３  側面        ５１４  凸体
５１５  係止柱              ５２１  固定支持ロッド
５２２  逆止め板            ５２３  押しボタン
５２４  弾性ピン
７０  スリット              ７１  位置決め凹溝
７２  位置決め凸体          ７３  係止溝
８０  第１連接シート        ８１  第２連接シート
８０１、８１１  穿孔
【図１】
0003110802.tif 000003
【図２】
0003110802.tif 000004
【図３】
0003110802.tif 000005
【図４】
0003110802.tif 000006
【図５】
0003110802.tif 000007
【図６】
0003110802.tif 000008
【図７】
0003110802.tif 000009